(57)【特許請求の範囲】
【請求項１】
１個の家具の開口部品（１１２、２１２）用の閉鎖装置であって、命令されたとき該開口部品を開かせるように、磁気式移動止め（１１３、２１３）から開口部品（１１２、２１２）を離脱させるために、推力プッシュプル機構（１１４、１１５、２１４、２１５）と組み合って開口部品（１１２、２１２）を閉鎖位置に保持するための磁気式移動止め（１１３、２１３）と、
閉鎖方向に引き込められた止め位置を越えてばね（１１７、２１７）の閉鎖方向の作用に抵抗して推力部材（１１５、２１５）を手で押すことによって２つの位置の間を交互に且つ安定して通過可能にするカム装置（１１６、２１６）と、を具備し、前記推力プッシュプル機構（１１４、１１５、２１４、２１５）が、磁気式移動止め（１１３、２１３）からの開口部品（１１２、２１２）の離脱を生じるように家具の開口部品に推力を作用するように設計された推力部材（１１５、２１５）を備え、該推力部材（１１５、２１５）は拘束された静止位置と前進した離脱位置との間を滑動でき、前記磁気式移動止め（１１３、２１３）が、強磁性材料の部材（１１８、２１８）の吸引のための磁石を備え、該磁石は、推力部材が前進した離脱位置にある時に、推力部材（１１５、２１５）より少なく突き出る磁気材料の部材（１１８、２１８）と接触する前接触面を有し、吸引磁石（１１３、２１３）が推力部材（１１５、２１５）と同軸に配置されている、家具の開口部品（１１２、２１２）のための閉鎖装置において、
前記推力部材（１１５、２１５）が、吸引磁石（１１３、２１３）を軸方向に通過することを特徴とする閉鎖装置。
【発明の詳細な説明】
【技術分野】
【０００１】
本発明は、磁石式保持システムと機械式開口「プッシュプル」システムとの組み合わせを備えた家具用閉鎖装置に関する。
【背景技術】
【０００２】
家具用丁番は、今日の伝統的な応用においては、所定の閉鎖角度から出発して扉を自動的に閉鎖できるばね機構が装備される。この状況下では、扉は、閉鎖角度を越えるまでハンドルに引っ張り作用を加えることにより空けられ、そして自動閉鎖機構の作用方向に向かって再び扉を押さない限り、開いたままである。
【０００３】
ある種の用途ではハンドルなしの扉が好ましい。この場合、「プッシュプル」システムとして知られる適切な爪が取り付けられ、扉がフランクのレッジ（ｆｌａｎｋ’ｓ  ｌｅｄｇｅ）に対して手で押されると、これによりれ扉は交互に閉鎖位置に保持され又はばね機構の手段により解放されて数ミリメートル離される。これらシステムは、家具の引き出し又はその他の部品にも使用される。
【発明の開示】
【発明が解決しようとする課題】
【０００４】
「プッシュプル」機構を組み込んだ種々のシステムがあるが、全ての知られた実施例は、種々の実施例にも拘わらず、一つの作動原理に帰することができる、即ち、これらは２個の主要な構成要素から構成される。一つは固定部品（例えば、フランク又は水平の部材）に取り付けられ、他方は運動部品（例えば、扉又は引き出しの前面）に取り付けられる。２種の構成要素の一方は運動部分を持たず、かつ閉鎖位置にある扉の内側の面に直角方法に関してアンダーカットの領域に１個又はそれ以上のフック面を持つ。この第１の構成要素は、その全寸法が小さいため、一般に運動部品に取り付けられることが好ましい。１個の家具の他の部材に取り付けられる第２の構成要素は、閉鎖用レッジに向かって扉を押し続けるフック機構を収容し、或いは扉を保持する第１の構成要素のアンダーカット内に組み合うか又はアンダーカットから扉を解放して扉を開き得るようにする。これらの装置は、その機械的特徴にも拘わらず、その作動原理に固有な種々の欠点がある。即ち、２個の構成要素が、作動中に協同しなければならずかつ扉の確保及び解放のために相互に滑らねばならない部材を含む。このため、これの取り付けに大きな正確性が要求される。一般に「プッシュプル」機構は扉の自由端に取り付けられるため、この精度はほとんど達成できないことが明らかである。扉及びフランクの寸法に対する許容差に加えて丁番を取り付ける際に有り得る失敗、装着による丁番自体の曲がり、及び１個の家具に関する扉に調整を考えることが必要であり、これら要因の全ては家具のフランクに対する扉の理論的当たり位置に関する重要なシフトの場合でも生ずる。ある場合には、扉とフランクとの間の相互移動により、扉を閉鎖位置から動けなくする重大な欠点が発生する可能性がある。これは、移動止めシステムが強固であり、極端な条件下では扉を開こうとして機構を壊すことが避けがたいことが有り得るためである。更なる欠点は、扉の内面上に部品が突き出るか又は穴の中に歯が入ったままになるかのいずれかを生ずるフックの歯の形態による。
【課題を解決するための手段】
【０００５】
「プッシュプル」作動は有するが、特に、固定部品と運動部品との間の特に正確な整列を必要とすることなく、かつ機能の際に単なる引っ張り作用により解放することのできる閉鎖装置を提供することにより、上述された欠点を回避することが本発明の一般的な目的である。
【０００６】
上の目的の見地から、本発明により、開口部品を開くために、命令の際に部品を磁気式移動止めから離脱させるための推力「プッシュプル」機構と組み合わせられた閉鎖位置における部品の移動止め用の磁気式移動止めを備えた１個の家具の開口部品用の閉鎖装置が考えられた。
【０００７】
本発明の原理及び公知の技術に勝るその長所をより良く説明するために、前記原理を適用する可能な実施例が、付属図面の支援を得て以下例示の方法で説明されるであろう。
【発明を実施するための最良の形態】
【０００８】
図面を参照すれば、一般に１０で示されかつ本発明の新規な原理の従って作られた装置の第１の実施例が図１に示される。装置１０は、１個の家具の開口部品１２として作動するように、１個の家具（又は閉鎖し得る区画を定めているその他の部材）のショルダー１１に取り付けられるように設計される。開口部品は、例えば本技術熟練者により容易に予想できるような引き出し、扉などとすることができる。従って、この部品は、例えば丁番又は案内の手段により回転でき、移動でき、或いは回転・移動をすることができる。
【０００９】
装置１０は、磁気式移動止めを備え、一方、この移動止めは、移動部品１２を閉鎖位置に止めて置くための１個の磁石１３、及び前記部品を開くことができるように、命令されたときに部品１２を磁気による保持から離脱させるための推力「プッシュプル」機構１４を備える。
【００１０】
より詳細には、「プッシュプル」機構１４は、開口部品１２を磁気による保持から離脱させるために、磁気吸引力より大きい力でこの部品に推力を加えるようにされた部材１５を備える。推力部材１５は、（図１に示される）前進した離脱位置と（図２に示される）後退した静止位置との間で滑り得るように作られる。カム装置１６があるため、ばね１７の作用に対抗して、部材１５に、後退した静止位置を越えて閉鎖方向に手で推力を加えることにより、（以下、明らかにされるように）２位置間、即ち前進位置と後退位置との間を交互に安定して通過し得る「プッシュプル」機構が作られる。
【００１１】
図１から更に見られるように、牽引磁石１３が推力部材１５に関して横並びに配置され、この磁石は、開口部品１２に取り付けられた（例えば、鉄又は鋼板の形式の）強磁性体材料の部材１８との接触面である前面を持つ。装置は、通常、部材１５が図１に明らかに示されたその前進した分離位置にあるとき、前記磁石の前面が推力部材１５より突出量が小さいような寸法にされる。
【００１２】
吸引磁石１３は、推力部材の滑り方向と平行に、（図２に鎖線で示されるように）閉鎖方向に後向きに動き推力部材の後退した静止位置より先に動き得るように自由に摺動できることが有利である。
【００１３】
図３に、外郭又はハウジング１９内に受け入れられた装置１０の個々の構成部材の分解図が示される。図４に明らかに示されるように、ハウジング１９は、例えば、ねじ手段の使用により１個の家具に取り付けるために、側方のウイング２０を有することが有利である。
【００１４】
この説明された実施例においては、「プッシュプル」運動を行うカム機構１６は、Ｓ字形のピン部材２２が内部に取り付けられたカム本体２１を備え、このピン部材は推力部材１５から突き出ている。図４から明らかに見られるように、カム輪郭と同じにされた溝２３にその端部が従動するピンは、（図４に実線で示された）前進位置、及び（図４に鎖線示された）後退位置に交互に適合し、推力部材をその対応した位置に保持する。一方の位置から他方の位置に通過するためには、図２に示された安定した閉鎖位置を越えて図２に鎖線で示された更に圧縮された位置（又は当たり位置）まで装置１０に対抗して１個の家具の開口部品１２を押すことで十分である。カム本体２１がハウジング１９の底部の閉鎖用の蓋も形成することが有利である。
【００１５】
図５から７に、本発明の装置の第２の実施例が示される。便宜上、第１の実施例の部材と同様な部材は、同じ番号に１００を加えた番号で区別する。
【００１６】
１個の家具の開口部品１１２を動かすために、１個の家具（又は閉鎖し得る区画を定めているその他の部材）のショルダー１１１に固定するように設計された閉鎖装置１１０がある。この第２の実施例においては、装置は、装置の端部が１個の家具上に見えそして強磁性体材料の板１１８において部材１１２と向かい合うように１個の家具に形成された適切な穴の中に挿入された円筒状ハウジング１１９で構成される。
【００１７】
推力部材１１５及び吸引磁石１１３が装置の端部に見え、これらは同軸に配置され、磁石が推力部材を囲むことが好ましい。
【００１８】
磁石及び推力部材の後方で、「プッシュプル」機構１１４がハウジング１１９内に受け入れられる。「プッシュプル」機構１１４は、ステップ回転用の前面の歯の設けられたカム１１６を有する公知の形式のものであり、この形式は、ボールペンの開閉機構としてしばしば使用されている。図７によく見られるように、この機構１１６は、推力部材１１５の後部の歯１３１と噛み合っている対応した案内リブ１３０を備える。推力部材には更なる部材上に作用している前面カム面が設けられる。（ばね１１７の推力に抵抗して）部材１１５上に後向き圧力が加えられる度に歯１３１をステップ回転させる。これにより、リブ１３０の後端と歯１３１との歯の係合及び解放の交互作動がなされるであろう。
【００１９】
従って、推力部材１１５の軸方向の行程に沿ったこの部材の２個の安定位置、即ち、（図５に示された）前進した離脱位置及び（図６に示された）後退した静止位置が許される。一方の位置から他方の位置に通過するためには、推力部材を（図６に鎖線で示されるように）後退位置より後方に必要なだけ動かすことで十分である。
【００２０】
吸引磁石１１３は、閉鎖方向で推力部材の後退した静止位置を越えると（これにより推力部材を手で操作することができる）強く抵抗できるように軸方向で小距離滑り得ることが有利である。前面プラグ１３３が磁石の前向きの停止限界具を構成し、装置を組み合わせられた状態に保つ。
【００２１】
図８ないし１１において、本発明による装置の第３の実施例が示される。便宜上、前の実施例の部材と同様な部材は、図１の実施例のものの同じ便号に２００を加えた番号で区別する。
【００２２】
１個の家具の開口部品２１２を動かすために、１個の家具（又は閉鎖し得る区画を定めているその他の部材）のショルダー２１１に固定するように設計された閉鎖装置２１０がある。この第３の実施例においては、装置は、上述の第２の実施例と同じ方法で、１個の家具に形成された適切な穴の中に挿入された円筒状ハウジング２１９で構成され、このため装置の端部が１個の家具上に現れそして強磁性体材料の板２１８において部材２１２と向かい合う。
【００２３】
推力部材２１５及び吸引磁石２１３が装置の端部に現れ、これらは同軸に配置され、磁石が推力部材を囲むことが有利である。
【００２４】
磁石及び推力部材の後方で、「プッシュプル」機構２１４がハウジング２１９内に受け入れられる。「プッシュプル」機構は、上述の第１の実施例と同様にカム機構２１６が形成され、そして推力ばね２１７の作用に対抗して２個の安定位置が確定される。
【００２５】
特に、「プッシュプル」機構を形成しているカム機構２１６は、推力部材２１５から突き出ているＳ字形のピン部材２２２が内部に適合するカム本体２２１を備える。（明瞭にするためにばね２１７が部分的に除去された）図１１を見れば、カム輪郭により定められた溝２２３に端部が従動するピンが、前進位置（図８）又は後退位置（図９）に交互に適合し、推力部材を対応した位置に保持する。一方の位置から他方の位置に通過するためには、図９に示された安定した閉鎖位置を越えそして図９に鎖線で示された更に後退した位置（又は当たり位置）まで装置２１０に対抗して１個の家具の開口部品２１２を開くことで十分である。カム本体２２１がハウジング２１９の底部の閉鎖用の蓋又はプラグも形成することが有利である。
【００２６】
図８−１１から明らかに見られるように、装置２１０が組み立てられたときは、本体２２１は、摺動部材２１５をその上の推力ばね及びＳ字形ピン２２１と共に受け入れ、ムーブメント「プッシュプル」ユニットを形成する。このユニットは、次いで、磁石２１３と共に筒状ハウジング２１９内に後方から挿入される。ハウジング２１９の端部に近い内側の縁２３３が磁石の停止限界を構成する。本体２２１の後端部は、ハウジング内への本体２２１の挿入の停止限界を構成している周囲の縁２４０を持つ。
【００２７】
本体２２１は圧力によりハウジングに確保され、又は好ましくは接着され、或いは超音波溶接により取り付けられる。
【００２８】
この時点で、本発明の意図した目的が達成されたことが明らかである。本発明による装置により、強磁性体板と磁石とが吸着しかつ同時に「プッシュプル」機構を静止位置に通過させるには、１個の家具の開口部品を閉鎖位置に動かすことで十分である。再び開くためには、ばねにより作動される推力部材のばねを急に外しそして１個の家具の開口部品を磁石の影響外に動かすために、「プッシュプル」機構を解放させるように１個の家具の開口部品に新たに推力を加えることで十分である。
【００２９】
１個の家具の開口部品に対する拘束は磁石形式のものだけであるため、１個の家具に対する装置の取り付けには正確な整合は必要ないことが明らかである。「プッシュプル」システムの２個の構成要素間には整合させるべき引っ掛かり面はないので、位置決めには最小の精度しか要求されない。許容差を大きくしたい場合は、板の面積を大きくすることで十分である。
【００３０】
更に、推力部材のばねが外れると、（磁気式でなくとも）開口部品と装置との間には拘束がないため、常に安全かつ完全な解放のあることが明らかである。
【００３１】
安全な開口により次の更なる利点が与えられる。即ち、扉を固定する機械的な部材がないため、「プッシュプル」機構が故障したとしても、また推力部材を引き出すことができないとしても、いずれの場合も扉を開くためには、単に磁石により加えられる力より大きい力で扉を引くことで十分である。
【００３２】
更に、容易に想像できるように、磁石の前向きの突出量及び推力部材の静止位置を適切な寸法にすることにより、前記磁石がその最も外側の位置にあるとき、磁石を（恐らくはゴムのバンパーが設けられた）推力部材の推力端部と同一面にし、又はこの面から僅かに突き出すように作ることが可能である。この方法で、閉鎖位置において、家具の開口部品は推力部材に対して安定して保持され、かつ開口部品の有り得る振動が回避される。
【００３３】
通常は扉に固定されるフックの歯が、ねじ止め、接着又は単に扉の仕上げ面の下に挿入し得る薄い金属板（例えば０．３ｍｍ厚）と置き換えられるため、見苦しくかつ危険な突出物がなくされ、更に穴開け又は複雑な取り付け作業の必要がなくなる。
【００３４】
ここに説明された第２及び第３の実施例は、かなり小さい外径で作ることができ、更に伝統的に「プッシュプル」システムの使用が不可能であり又は非常に不快であろう状況で使用することができる。
【００３５】
本発明の新規な原理を応用した実施例の上述の説明は例示目的で与えられたものであり、従ってここに請求される特許の範囲を限定するとして考えるべきでないことは明らかである。例えば、もし１個の家具の開口部品が強磁性体材料で作られた場合は、板１８、１１８、２１８はこれを無くすことができる。
【００３６】
磁石も、本技術熟練者によく知られるように、吸引力を大きくする目的で例えば中心の磁石と２枚の鉄板とから構成された層で作ることができる。
【００３７】
本発明の特徴及び態様を示せば以下のとおりである。
１．１個の家具の開口部品（１２、１１２、２１２）用の閉鎖装置であって、命令されたとき前記部品を開かせるように、磁気式移動止め（１３、１１３、２１３）から部品（１２、１１２、２１２）を離脱させるために、推力「プッシュプル」機構（１４、１５、１１４、１１５、２１４、２１５）と組み合って部品（１２、１１２、２１２）を閉鎖位置に保持するための磁気式移動止め（１３、１１３、２１３）を備えた装置。
２．「プッシュプル」機構が、前記部品を磁気式移動止め（１３、１１３、２１３）から離脱させるために１個の家具の部品に推力を加えるように設計された部材（１５、１１５、２１５）であってかつ後退した静止位置と前進した離脱位置との間で摺動可能な前記部材（１５、１１５、２１５）、ばね（１７、１１７、２１７）の閉鎖方向の作用に対抗して拘束された静止位置より先に部材（１５、１１５、２１５）を手で押すことにより２位置間の交互かつ安定した通過を可能にするカム装置（１６、１１６、２１６）を備えることを特徴とする上記１に記載された閉鎖装置。
３．磁気式移動止めが、強磁性体材料の部材（１８、１１８、２１８）の吸引のための磁石（１３、１１３、２１３）であって、強磁性体材料の部材との前面接触面を有し、推力部材が前進した離脱位置にあるとき推力部材（１５、１１５、２１５）より少なく突き出る前記磁石を備えることを特徴とする上記２に記載された装置。
４．吸引磁石（１３、１１３、２１３）が、閉鎖方向でかつ推力部材の前記後退した静止位置を越えて後退し得るように、推力部材（１５、１１５、２１５）の摺動方向と平行に滑り得ることを特徴とする上記３に記載された装置。
５．吸引磁石（１３）が推力部材（１５）と横並びの関係で配置されることを特徴とする上記３に記載された装置。
６．その側面により１個の家具に取り付けられるうに設計され、かつ前記強磁性体材料の部材（１８）に面するように設計されたハウジングの前面において横並びの相互関係でハウジングから突き出る推力部材（１５）と吸引磁石（１３）とを収容しているハウジング（１９）を備えることを特徴とする上記５に記載された装置。
７．カム本体（１６、２１６）が推力部材（１５、２１５）と前記横並びの関係にあり、このカム本体に前記カム装置を得るために推力部材から突き出たピンが取り付けられ、部材（１５、２１５）を前進した離脱位置に向かって押すためのばね（１７、２１７）が推力部材（１５、２１５）の後方にあることを特徴とする上記２に記載された装置。
８．ハウジング（１９）に、１個の家具に固定するための１対のウイング（２０）が横方向に設けられることを特徴とする上記６に記載された装置。
９．吸引磁石（１１３、２１３）が推力部材（１１５、２１５）と同軸に配置されることを特徴とする上記３に記載された装置。
１０．推力部材（１１５、２１５）が、吸引磁石（１１３、２１３）を軸方向に通過する上記９に記載された装置。
１１．１個の家具の穴の中に適合するように設計されかつ円筒状ハウジングの一方の端部から突き出る推力部材（１１５、２１５）と吸引部材（１１３、２１３）とを収容するように設計された円筒状ハウジング（１１９、２１９）を備え、この端部が前記強磁性体材料の部材（１１８、２１８）に面する穴を現すように設計されることを特徴とする上記９に記載された装置。
１２．前記カム装置（１１６）はステップ回転用の前面の歯の設けられた形式のものであり、かつ磁石（１１３）及び推力部材（１１５）の後方でハウジング（１１９）内に配置されることを特徴とする上記１１に記載された装置。
１３．推力部材（１１５）を前進した離脱位置に向かって押すためのばね（１１７）が、カム装置（１１６）の後方にあることを特徴とする上記１１に記載された装置。
１４．強磁性体材料の部材が板（１８、１１８、２１８）の形式であることを特徴とする上記３に記載された装置。
１５．推力部材（２１５）が突き出ている端部に関して反対側の端部からカム装置（２１６）がハウジング（２１９）内に挿入され、かつカム装置の一部（２２１）がこの反対側の端部の閉鎖体を構成することを特徴とする上記１１に記載された装置。
【図面の簡単な説明】
【００３８】
【図１】本発明による閉鎖装置の開口位置における長手方向断面の概略側面図である。
【図２】図１の装置と同様であるが閉鎖位置にある概略側面図である。
【図３】図１の装置の分解されかつ部分的に断面にされた図面である。
【図４】図２の線ＩＶ−ＩＶに沿って切断された装置の平面図である。
【図５】本発明による閉鎖装置の第２の実施例の開口位置における長手方向断面の概略図である。
【図６】図５の装置と同様であるが閉鎖位置にある概略図である。
【図７】図５の装置の分解されかつ部分的に断面にされた図面である。
【図８】本発明による装置の第３の実施例の開口位置における長手方向断面の概略側面図である。
【図９】図８の装置と同様であるが閉鎖位置にある概略図である。
【図１０】図８の装置の分解されかつ部分的に断面にされた図面である。
【図１１】図８の線ＩＸ−ＩＸに沿って切断された装置の平面図である。
【符号の説明】
【００３９】
１０  装置
１１  ショルダー
１２  開口部品
１３  磁気式移動止め
１４  「プッシュプル」機構
１５  「プッシュプル」機構
１６  カム機構
１９  ハウジング
２０  ウイング
【図１】
0004754266.tif 000002
【図２】
0004754266.tif 000003
【図３】
0004754266.tif 000004
【図４】
0004754266.tif 000005
【図５】
0004754266.tif 000006
【図６】
0004754266.tif 000007
【図７】
0004754266.tif 000008
【図８】
0004754266.tif 000009
【図９】
0004754266.tif 000010
【図１０】
0004754266.tif 000011
【図１１】
0004754266.tif 000012